(57)【要約】【課題】用紙に記入した情報を読み取られることを防止することと、記入された情報を入力し直さなくても保存できるようにすること。【解決手段】用紙３１に赤外線吸収インキ３５でドットパターンを印刷した位置検出用マーカー３２の上に赤外線非吸収インキ３６を印刷した隠蔽情報記入欄３４を設けることにより、隠蔽情報記入欄３４にデジタルペン２０で記入した情報を赤外線非吸収インキ３６で隠蔽し、情報として目視上認識困難としつつ、記入された情報はデジタルペン２０により電子データとして保存されるようにした。【選択図】図６
2008201065.tif 000002
【特許請求の範囲】
【請求項１】
デジタルペンで記入した情報をデジタルペンにより電子データとして読み取るための読取用紙であって、用紙に赤外線吸収インキでドットパターンを印刷した位置検出用マーカーの上に、赤外線非吸収インキを印刷した隠蔽情報記入欄が設けられていることを特徴とするデジタルペン用読取用紙。
【請求項２】
デジタルペンで記入した情報をデジタルペンにより電子データとして読み取るための読取用紙であって、用紙に赤外線吸収インキでドットパターンを印刷した位置検出用マーカーの上に、表面滑性、撥水性、撥油性のうちの少なくとも一つと赤外線非吸収性とを有するオーバープリントニスを印刷した隠蔽情報記入欄が設けられていることを特徴とするデジタルペン用読取用紙。
【請求項３】
デジタルペンで記入した情報をデジタルペンにより電子データとして読み取るための読取用紙であって、用紙に赤外線吸収インキでドットパターンを印刷した位置検出用マーカーの上に、赤外線非吸収インキを印刷し、その上に表面滑性、撥水性、撥油性のうちの少なくとも一つと赤外線非吸収性とを有するオーバープリントニスを印刷した隠蔽情報記入欄が設けられていることを特徴とするデジタルペン用読取用紙。
【請求項４】
上記隠蔽情報記入欄について、上記赤外線非吸収インキの色が上記デジタルペンのインキの色と同色あるいは同系色に設定されていることを特徴とする請求項１又は請求項３に記載のデジタルペン用読取用紙。
【請求項５】
上記隠蔽情報記入欄について、上記オーバープリントニスの色が上記デジタルペンのインキの色と同色あるいは同系色に設定されていることを特徴とする請求項２又は請求項３に記載のデジタルペン用読取用紙。
【請求項６】
デジタルペンで用紙に記入した情報を読み取る方法であって、用紙に赤外線吸収インキでドットパターンを印刷した位置検出用マーカーの上に赤外線非吸収インキを印刷した隠蔽情報記入欄を設けておき、この隠蔽情報記入欄にデジタルペンで情報を記入したときに、デジタルペンのインキが赤外線非吸収インキに隠れ、情報として目視上認識困難としつつ、記入した情報はデジタルペンにより電子データとして読み取られることを特徴とする情報読取方法。
【請求項７】
デジタルペンで用紙に記入した情報を読み取る方法であって、用紙に赤外線吸収インキでドットパターンを印刷した位置検出用マーカーの上に表面滑性、撥水性、撥油性のうちの少なくとも一つと赤外線非吸収性とを有するオーバープリントニスを印刷した隠蔽情報記入欄を設けておき、この隠蔽情報記入欄にデジタルペンで情報を記入したときに、デジタルペンのインキがオーバープリントニスの上に残りにくく、情報として目視上認識困難としつつ、記入した情報はデジタルペンにより電子データとして読み取られることを特徴とする情報読取方法。
【請求項８】
デジタルペンで用紙に記入した情報を読み取る方法であって、用紙に赤外線吸収インキでドットパターンを印刷した位置検出用マーカーの上に赤外線非吸収インキを印刷し、その上に表面滑性、撥水性、撥油性のうちの少なくとも一つと赤外線非吸収性とを有するオーバープリントニスを印刷した隠蔽情報記入欄を設けておき、この隠蔽情報記入欄にデジタルペンで情報を記入したときに、デジタルペンのインキが赤外線非吸収インキに隠れるか、又はオーバープリントニスの上に残りにくいか、の少なくとも一方を満たし、情報として目視上認識困難としつつ、記入した情報はデジタルペンにより電子データとして読み取られることを特徴とする情報読取方法。
【請求項９】
上記隠蔽情報記入欄について、上記赤外線非吸収インキの色を上記デジタルペンのインキの色と同色あるいは同系色に設定することを特徴とする請求項６又は請求項８に記載の情報読取方法。
【請求項１０】
上記隠蔽情報記入欄について、上記オーバープリントニスの色を上記デジタルペンのインキの色と同色あるいは同系色に設定することを特徴とする請求項７又は８に記載の情報読取方法。
【発明の詳細な説明】
【技術分野】
【０００１】
本発明は、デジタルペンで記入した情報をデジタルペンで読み取るための読取用紙において、記入された情報を隠蔽して目視で読み取れないようにしたデジタルペン用読取用紙及び情報読取方法に関する。
【背景技術】
【０００２】
従来、申込書等の書類に必要事項を記入する場合、申込書に記入された住所や暗証番号等の情報がそのまま目視可能であり、これらの情報を第三者に盗み見られてしまうという問題が指摘されている。この問題を解決する方法として、例えば下記の特許文献１、２には、用紙に蛍光インキ層を設けて複写記入する帳票が提案されている。
【０００３】
ところが、これらの帳票によると、蛍光インキ層で複写記入された情報は紫外線を照射して発光させた後でないと読み取ることができないので、複写記入された情報は隠蔽されるが、複写記入された情報を受取人が確認する際に面倒である。また、複写記入された情報を電子データとして保存しておく場合に、受取人が紫外線を照射して読み取った情報を再度入力し直さなければならないという手間もある。
【０００４】
【特許文献１】特開平１０−２５８５９４号公報
【０００５】
【特許文献２】特開２００２−２４９６９２号公報
【発明の開示】
【発明が解決しようとする課題】
【０００６】
本発明は上記のような問題を解決するためになされたものであり、その目的とするところは、申込書等の記入用紙において、極めて簡単な方法で、用紙に記入した情報を盗み見られることを防止するとともに、記入された情報を入力し直さなくても保存することができる用紙を提供することにある。
【課題を解決するための手段】
【０００７】
上記の目的を達成するため、本発明者は、デジタルペン用読取用紙にデジタルペンで記入された情報を隠蔽することによって記入された情報を目視で読み取れなくすることができ、かつ、記入された情報を電子データとして保存することができる点に着目して本発明を完成させた。すなわち、本発明によるデジタルペン用読取用紙は、デジタルペンで記入した情報をデジタルペンにより電子データとして読み取るための読取用紙であって、用紙に赤外線吸収インキでドットパターンを印刷した位置検出用マーカーの上に、赤外線非吸収インキを印刷した隠蔽情報記入欄が設けられていることを特徴とする。
【０００８】
また、本発明による情報読取方法は、デジタルペンで用紙に記入した情報を読み取る方法であって、用紙に赤外線吸収インキでドットパターンを印刷した位置検出用マーカーの上に赤外線非吸収インキを印刷した隠蔽情報記入欄を設けておき、この隠蔽情報記入欄にデジタルペンで情報を記入したときに、デジタルペンのインキが赤外線非吸収インキに隠れ、情報として目視上認識困難としつつ、記入した情報はデジタルペンにより電子データとして読み取られることを特徴とする。
【０００９】
ここで、赤外線吸収インキは、デジタルペンに内蔵された赤外線カメラで認識されるように、赤外線を吸収する特性を有するインキであって、例えば炭素系の黒色顔料を含有したインキや、補助剤として赤外線吸収剤を添加したインキが用いられる。
【００１０】
一方、赤外線非吸収インキは、デジタルペンに内蔵された赤外線カメラの認識に影響を与えないように、赤外線を吸収しない特性を有するインキが用いられる。
【００１１】
また、本発明によるデジタルペン用読取用紙は、デジタルペンで記入した情報をデジタルペンにより電子データとして読み取るための読取用紙であって、用紙に赤外線吸収インキでドットパターンを印刷した位置検出用マーカーの上に、表面滑性、撥水性、撥油性のうちの少なくとも一つと赤外線非吸収性とを有するオーバープリントニスを印刷した隠蔽情報記入欄が設けられていることを特徴とする。
【００１２】
また、本発明による情報読取方法は、デジタルペンで用紙に記入した情報を読み取る方法であって、用紙に赤外線吸収インキでドットパターンを印刷した位置検出用マーカーの上に表面滑性、撥水性、撥油性のうちの少なくとも一つと赤外線非吸収性とを有するオーバープリントニスを印刷した隠蔽情報記入欄を設けておき、この隠蔽情報記入欄にデジタルペンで情報を記入したときに、デジタルペンのインキがオーバープリントニスの上に残りにくく、情報として目視上認識困難としつつ、記入した情報はデジタルペンにより電子データとして読み取られることを特徴とする。
【００１３】
ここで、オーバープリントニスは、デジタルペンで筆記できないような特性を有することが求められる。例えばデジタルペンがボールペンタイプの場合には表面滑性、水性ペンの場合には撥水性、油性ペンの場合には撥油性を持たせるようにすればよいが、これらすべての特性を有していてもよい。また、このオーバープリントニスは、赤外線吸収インキで構成された位置検出用マーカーの認識に影響を与えないようにするため、赤外線を吸収しない特性を有していなければならない。使用可能なものとしては、例えば体質顔料を含まない無色透明ニスにシリコーンを所定量添加したものが挙げられる。シリコーンは樹脂成分との相溶性がよく、乾燥後の被膜を通常より硬くする特性を備えたもので、その添加量は所定の表面滑性、撥水性、撥油性が得られるように設定される。
【００１４】
なお、オーバープリントニスの厚みは、０．５μｍ未満であると所定の滑性等が得られず、３．０μｍを超えると滑性等がそれ以上に向上せずニスを無駄に消費することになるので、０．５〜３．０μｍの範囲内にするのが好ましい。厚みの測定はレーザー顕微鏡等の測定器具で行えばよく、例えばカラー３Ｄレーザー顕微鏡「ＶＫ−９７００」（株式会社キーエンス製）を使用することができる。
【００１５】
さらに、隠蔽情報記入欄について、赤外線非吸収インキの印刷とオーバープリントニスの印刷を組み合わせて構成することもできる。すなわち、本発明によるデジタルペン用読取用紙は、デジタルペンで記入した情報をデジタルペンにより電子データとして読み取るための読取用紙であって、用紙に赤外線吸収インキでドットパターンを印刷した位置検出用マーカーの上に、赤外線非吸収インキを印刷し、その上に表面滑性、撥水性、撥油性のうちの少なくとも一つと赤外線非吸収性とを有するオーバープリントニスを印刷した隠蔽情報記入欄が設けられていることを特徴とする。
【００１６】
また、本発明による情報読取方法は、デジタルペンで用紙に記入した情報を読み取る方法であって、用紙に赤外線吸収インキでドットパターンを印刷した位置検出用マーカーの上に赤外線非吸収インキを印刷し、その上に表面滑性、撥水性、撥油性のうちの少なくとも一つと赤外線非吸収性とを有するオーバープリントニスを印刷した隠蔽情報記入欄を設けておき、この隠蔽情報記入欄にデジタルペンで情報を記入したときに、デジタルペンのインキが赤外線非吸収インキに隠れるか、又はオーバープリントニスの上に残りにくいか、の少なくとも一方を満たし、情報として目視上認識困難としつつ、記入した情報はデジタルペンにより電子データとして読み取られることを特徴とする。
【００１７】
なお、赤外線非吸収インキを印刷する形態の場合、赤外線非吸収インキの色がデジタルペンのインキの色と同色あるいは同系色に設定されていることが好ましい。また、オーバープリントニスを印刷する場合にも、オーバープリントニスの色がデジタルペンのインキの色と同色あるいは同系色に設定されていることが好ましい。
【発明の効果】
【００１８】
本発明によれば、以下のような効果が得られる。
【００１９】
位置検出用マーカーの上に赤外線非吸収インキを印刷した隠蔽情報記入欄を設けたことにより、隠蔽情報記入欄に記入された情報をデジタルペンで電子データとして読み取ることができるとともに、デジタルペンのインキは赤外線非吸収インキによって隠蔽されて見えなくなるので、デジタルペンでの記入時に用紙に記入した情報を盗み見ることを防止でき、情報の保護を図ることができる。
【００２０】
また、位置検出用マーカーの上に表面滑性、撥水性、撥油性のうちの少なくとも一つと赤外線非吸収性とを有するオーバープリントニスを印刷した隠蔽情報記入欄を設けたことにより、隠蔽情報記入欄に記入された情報をデジタルペンで電子データとして読み取ることができるとともに、オーバープリントニスの上にデジタルペンで筆記しにくくなり、デジタルペンでの記入時に用紙に記入しようとした情報が残らず読み取られることがないため、情報の保護を図ることができる。
【００２１】
また、位置検出用マーカーの上に赤外線非吸収インキを印刷し、その上に表面滑性、撥水性、撥油性のうちの少なくとも一つと赤外線非吸収性とを有するオーバープリントニスを印刷した隠蔽情報記入欄を設けたことにより、最表面のオーバープリントニスでデジタルペンでの筆記を困難にすることができるとともに、仮に筆記されてしまった場合でもその下層の赤外線非吸収インキによって筆記内容が隠蔽されて見えなくなるので、その隠蔽効果が高く、隠蔽情報記入欄に記入した情報が読み取られることをより確実に防止できる。
【００２２】
さらに、赤外線非吸収インキの色又はオーバープリントニスの色がデジタルペンのインキの色と同色あるいは同系色に設定されていれば、よりいっそう隠蔽効果が高くなる。
【００２３】
なお、読取用紙に記入された情報を受け取る側にとっては、デジタルペンに保存された電子データをそのまま使用すればよく、従来の方法のように読取時に紫外線を照射するといった面倒な作業が要らず、また電子データとして保存する場合に再度入力し直す手間も掛からないので、使い勝手が良い。
【発明を実施するための最良の形態】
【００２４】
以下、本発明の実施の形態について、図面を参照しながら説明する。
【００２５】
図１は本発明に用いられるデジタルペンの構成を示す断面図である。
【００２６】
図１に示すように、デジタルペン２０はアノト方式を採用した専用ペンであって、ペン型のケース２１の内部にペン部２２と、カートリッジ２３と、赤外線カメラ２４と、プロセッサ２５と、メモリ２６と、通信ユニット２７と、バッテリ２８が収容されている。
【００２７】
ペン部２２はペン先にボールを有する芯とインキが充填されたカートリッジ２３を備えたボールペン構造になっており、通常のボールペンと同様に、インキによってデジタルペン用読取用紙３０に文字等の情報を書き込むことができる。
【００２８】
赤外線カメラ２４はケース先端の開口部からデジタルペン用読取用紙３０に向けて赤外光を照射する発光部と、デジタルペン用読取用紙３０からの反射光を受光するＣＭＯＳセンサ等の受光部とを備えており、ペン部付近の所定範囲内の赤外線画像を撮影する。そして、プロセッサ２５は赤外線カメラ２４で撮影した赤外線画像から赤外線吸収レベルに応じて２値化したデータを取得し、そのデータから筆跡情報を認識してメモリ２６に記憶するようになっている。
【００２９】
なお、通信ユニット２７は例えばBluetooth（登録商標）通信によって外部機器との間でデータ通信を行うものであり、バッテリ２８はリチウムイオン電池からなる内部電源である。
【００３０】
図２は本発明のデジタルペン用読取用紙の構成を示す平面図である。
【００３１】
図２に示すように、デジタルペン用読取用紙３０はアノト方式を採用した専用紙であって、デジタルペン２０で記入された筆跡情報を電子データとして読み取るための用紙である。本実施形態のデジタルペン用読取用紙３０は、普通紙で構成された用紙３１の表面全体に筆跡情報の位置データを検出するための位置検出用マーカー３２が印刷されており、この位置検出用マーカー３２が印刷された紙面には、通常情報記入欄３３と隠蔽情報記入欄３４の２種類の記入欄が設けられている。
【００３２】
図３はデジタルペン用読取用紙における通常情報記入欄の部分拡大図である。
【００３３】
図３に拡大して示すように、通常情報記入欄３３はデジタルペン２０で記入した情報を目視でも読み取れるように表示する記入欄であり、用紙３１の上に印刷された位置検出用マーカー３２のみから構成されている。
【００３４】
位置検出用マーカー３２は、複数個のドットを約０．３ｍｍ間隔の格子上の交点から上下左右のいずれかの方向へ少しずつずらして配置したドットパターンである。そして、６×６（１．８ｍｍ×１．８ｍｍ）の計３６個のドットの集合体からなるユニークなドットパターンによって用紙３１上での絶対座標を表している。個々のドットはデジタルペン２０の赤外線カメラ２４から照射された赤外光を吸収するように、赤外線吸収インキ３５で印刷されている。このような赤外線吸収インキ３５としては、例えば炭素系の黒色顔料が含有されたインキや、補助剤として赤外線吸収剤が添加されたインキを使用することができる。
【００３５】
図４はデジタルペン用読取用紙における隠蔽情報記入欄の部分拡大図であり、図５はその隠蔽情報記入欄の部分断面図である。
【００３６】
図４及び図５に拡大して示すように、隠蔽情報記入欄３４はデジタルペン２０で記入した情報を隠蔽して目視で読み取れなくなるようにした記入欄であり、位置検出用マーカー３２の上に赤外線非吸収インキ３６を印刷して構成されている。本実施形態では、位置検出用マーカー３２を構成するドットパターンに重なるように、その上から赤外線非吸収インキ３６でベタ印刷を施したものである。このベタ印刷によるインキ層は目視では認識できるが、赤外光を吸収しない特性を有しており、デジタルペン２０の赤外線カメラ２４による認識に影響を与えないようになっている。
【００３７】
また、隠蔽情報記入欄３４にデジタルペン２０で記入した情報を更に読み取られにくくするには、赤外線非吸収インキ３６の色はデジタルペン２０のカートリッジ２３に充填されたインキの色と同色か同系色に設定されていることが好ましい。さらに、赤外線吸収インキ３５の色と、赤外線非吸収インキ３６の色と、デジタルペン２０のインキの色をすべて同色か同系色にすると、よりいっそう隠蔽効果が高くなる。
【００３８】
なお、赤外線非吸収インキ３６の印刷パターンは、図示したようなベタ印刷に限らず各種の模様からなる地紋印刷によって構成されていてもよい。
【００３９】
図６は本発明のデジタルペン用読取用紙を使用した情報読取方法を示す説明図である。
【００４０】
図６に示すように、デジタルペン用読取用紙３０を使用して情報を読み取る際にはデジタルペン２０によって筆記を行うだけでよい。そして、このデジタルペン用読取用紙を例えば申込書として利用する場合には、目視で読み取られても構わない情報（契約者名等）を通常情報記入欄３３に記入し、目視で読み取られては困る情報（住所、電話番号、暗証番号等）を隠蔽情報記入欄３４に記入するようにする。
【００４１】
すなわち、図６（ａ）に示すように、通常情報記入欄３３に記入した時には、デジタルペン２０のペン部２２から出たインキが用紙３１に付着して書き込みが行われ、通常記入欄３３に記入された情報を目視で読み取ることができる。また、記入の最中には、デジタルペン２０に内蔵された赤外線カメラ２４によって通常情報記入欄３３において所定範囲内の赤外線画像が連続的に撮影される。また、このときプロセッサ２５は、撮影された赤外線画像に基づいて位置検出用マーカー３２の絶対座標で特定されるペン部２２の現在位置とその移動軌跡を読み取り、これによって通常記入欄３３に記入された筆跡情報を認識する。そして、プロセッサ２５で認識された筆跡情報は電子データ化されてメモリ２６に記憶される。
【００４２】
それに対し、図６（ｂ）に示すように、隠蔽情報記入欄３４に記入した時にも、デジタルペン２０のペン部２２から出たインキが赤外線非吸収インキ３６の上に付着して書き込みが行われる。ところが、付着したデジタルペン２０のインキは背景となる赤外線非吸収インキ３６に隠れて見えにくくなるので、隠蔽情報記入欄３４に記入された情報を目視で読み取ることが困難になる。特に、赤外線非吸収インキ３６の色がデジタルペン２０のインキの色と同じであれば、デジタルペン２０のインキが完全に隠れてしまうので、隠蔽情報記入欄３４に記入された情報を読み取ることは不可能である。
【００４３】
また、記入の最中には、上述したようにデジタルペン２０の赤外線カメラ２４で隠蔽情報記入欄３４の赤外線画像が撮影され、プロセッサ２５が赤外線画像の中の位置検出用マーカー３２に基づいてペン部２２の現在位置と移動軌跡を読み取り、隠蔽情報記入欄３４に記入された情報を認識する。このとき、赤外線カメラ２４から照射された赤外光は、赤外線吸収インキ３５からなる位置検出用マーカー３２に吸収されるが、その上の赤外線非吸収インキ３６には吸収されないようになっている。したがって、位置検出用マーカー３２により検出される位置データに支障を来たすことはなく、記入された情報を正確に認識することができる。そして、通常情報記入欄３３のときと同様に、プロセッサ２５で認識された情報は電子データ化されてメモリ２６に記憶される。
【００４４】
このように、上述したデジタルペン用読取用紙３０によれば、通常情報記入欄３３と隠蔽情報記入欄３４のどちらの記入欄に記入された情報もデジタルペン２０で読み取って電子データとして保存することができる。しかも、隠蔽情報記入欄３４については、デジタルペン２０のインキは背景にある赤外線非吸収インキ３６によって隠蔽されるので、デジタルペン２０で隠蔽情報記入欄３４に暗証番号等の秘密情報を記入している最中にその秘密情報が盗み見られることを防止できる。
【００４５】
図７は隠蔽情報記入欄の他の構成例を示す部分拡大図であり、図８はその隠蔽情報記入欄の部分断面図である。
【００４６】
図７及び図８に示すように、本実施形態のデジタルペン用読取用紙３０は隠蔽情報記入欄３４の構成が異なっており、この隠蔽情報記入欄３４は、赤外線吸収インキ３５でドットパターンを印刷した位置検出用マーカー３２の上にオーバープリントニス３７をベタ印刷して構成されている。オーバープリントニス３７は、デジタルペン２０での筆記が困難となるように表面滑性、撥水性、撥油性のうちの少なくとも一つの特性を有している必要がある。本実施形態ではデジタルペン２０がボールペンタイプであるので表面滑性を有しているが、水性ペンの場合には撥水性、油性ペンの場合には撥油性という具合に、デジタルペン２０のタイプに合わせて特性を決定すればよい。また、オーバープリントニス３７は、赤外線吸収インキ３５からなる位置検出用マーカー３２の認識に影響を及ぼさないように赤外線を吸収しない特性を有している必要がある。
【００４７】
このようなオーバープリントニス３７として、本実施形態ではニスにシリコーンを所定量添加したものが０．５〜３．０μｍの厚みで印刷されている。シリコーンには、乾燥後の滑性は高いがニスの樹脂成分との相溶性が低いシリコーンＡと、乾燥後の滑性は低いがニスの樹脂成分との相溶性が高いシリコーンＢが用いられており、これらが所定の割合（例えばシリコーンＡが５重量％、シリコーンＢが１０重量％）でニスに添加されている。なお、このように多量のシリコーンを含むニスは乾燥性が悪くなるため、開始剤（アルファアミノケトン系化合物）を８重量％程度、増感剤（チオキサントン系化合物）を１重量％程度添加して乾燥性を向上させてある。
【００４８】
また、筆記された情報をより確実に読み取られないようにするには、オーバープリントニス３７の色はデジタルペン２０のインキの色と同色か同系色に設定されていることが好ましい。さらに、赤外線吸収インキ３５の色と、オーバープリントニス３７の色と、デジタルペン２０のインキの色をすべて同色か同系色にすると、よりいっそう隠蔽効果が高くなる。
【００４９】
本実施形態のデジタルペン用読取用紙３０によれば、隠蔽情報記入欄３４の上にデジタルペン２０で情報を記入しようとした場合には、オーバープリントニス３７が表面滑性に優れているため、その上でデジタルペン２０のペン先のボールが滑って回転できず、ペン先の隙間からインキが出ないので、筆記がしにくくなる。また、デジタルペン２０が水性ペンや油性ペンの場合には、それに合わせてオーバープリントニス３７に撥水性や撥油性を持たせておけば、オーバープリントニス３７がデジタルペン２０のインキをはじいて筆記がしにくくなる。したがって、隠蔽情報記入欄３４に記入しようとした情報を目視で読み取られることはなく、デジタルペン２０で隠蔽情報記入欄３４に暗証番号等の秘密情報を記入している最中にその秘密情報が盗み見られることを防止できる。
【００５０】
また、仮にデジタルペン２０で筆記できたとしても、オーバープリントニス３７の色がデジタルペン２０のインキの色と同じであれば、筆記されたインキは背景のオーバープリントニス３７に隠れて見えないので、隠蔽情報記入欄３４に記入された情報を目視で読み取ることはできなくなる。
【００５１】
さらに、記入時には、デジタルペン２０の赤外線カメラ２４で隠蔽情報記入欄３４の赤外線画像が撮影され、プロセッサ２５が赤外線画像の中の位置検出用マーカー３２に基づいてペン部２２の現在位置と移動軌跡を読み取って隠蔽情報記入欄３４に記入された情報を認識する。このとき、赤外線カメラ２４から照射された赤外光は、赤外線吸収インキ３５からなる位置検出用マーカー３２に吸収されるが、その上のオーバープリントニス３７には吸収されないようになっている。したがって、位置検出用マーカー３２によって検出される位置データに支障を来たすことはなく、記入された情報を正確に認識することができるとともに、認識された情報は電子データ化されてメモリ２６に記憶される。
【００５２】
図９は隠蔽情報記入欄の更に他の構成例を示す部分拡大図であり、図１０はその隠蔽情報記入欄の部分断面図である。
【００５３】
図９及び図１０に示すように、本実施形態のデジタルペン用読取用紙３０もまた隠蔽情報記入欄３４の構成が異なっており、この隠蔽情報記入欄３４は、赤外線吸収インキ３５でドットパターンを印刷した位置検出用マーカー３２の上に赤外線非吸収インキ３６をベタ印刷し、その上に表面滑性、撥水性、撥油性のうちの少なくとも一つと赤外線非吸収性とを有するオーバープリントニス３７をベタ印刷して構成されている。
【００５４】
本実施形態のデジタルペン用読取用紙３０によれば、隠蔽情報記入欄３４は、位置検出用マーカー３２の表面が赤外線非吸収インキ３６とオーバープリントニス３７の２層構造になっている。このため、最表面のオーバープリントニス３７でデジタルペン２０のインキによる筆記を困難にすることができるとともに、筆記されてしまった場合でもその下層の赤外線非吸収インキ３６によって筆記内容が隠蔽されて見えなくなるので、その隠蔽効果が高く、隠蔽情報記入欄３４に記入された情報が読み取られることをより確実に防止できる。
【００５５】
なお、デジタルペン２０のカートリッジ２３からあらかじめインキを抜いておいて隠蔽情報記入欄３４に記入する方法も考えられるが、通常情報記入欄３３のように隠蔽不要な記入欄が混在する用紙に適用した場合には通常情報記入欄３３への記入時にペンを取り替える手間がかかるので、上述したように隠蔽情報記入欄３４に赤外線非吸収インキ３６を印刷するか、あるいはオーバープリントニス３７を印刷しておいて、記入された情報を読み取れなくする方法の方が好ましい。
【図面の簡単な説明】
【００５６】
【図１】本発明に用いられるデジタルペンの構成を示す断面図。
【図２】本発明のデジタルペン用読取用紙の構成を示す平面図。
【図３】図２のデジタルペン用読取用紙における通常情報記入欄の部分拡大図。
【図４】図２のデジタルペン用読取用紙における隠蔽情報記入欄の部分拡大図。
【図５】図４の隠蔽情報記入欄のＡ−Ａ線断面図。
【図６】本発明のデジタルペン用読取用紙を使用した情報読取方法を示す説明図。
【図７】隠蔽情報記入欄の他の構成例を示す部分拡大図。
【図８】図７の隠蔽情報記入欄のＢ−Ｂ線断面図。
【図９】隠蔽情報記入欄の更に他の構成例を示す部分拡大図。
【図１０】図９の隠蔽情報記入欄のＣ−Ｃ線断面図。
【符号の説明】
【００５７】
２０  デジタルペン
２１  ケース
２２  ペン部
２３  カートリッジ
２４  赤外線カメラ
２５  プロセッサ
２６  メモリ
２７  通信ユニット
２８  バッテリ
３０  デジタルペン用読取用紙
３１  用紙
３２  位置検出用マーカー
３３  通常情報記入欄
３４  隠蔽情報記入欄
３５  赤外線吸収インキ
３６  赤外線非吸収インキ
３７  オーバープリントニス
【図１】
2008201065.tif 000003
【図２】
2008201065.tif 000004
【図３】
2008201065.tif 000005
【図４】
2008201065.tif 000006
【図５】
2008201065.tif 000007
【図６】
2008201065.tif 000008
【図７】
2008201065.tif 000009
【図８】
2008201065.tif 000010
【図９】
2008201065.tif 000011
【図１０】
2008201065.tif 000012